(57)【特許請求の範囲】
【請求項１】
タンクケースにオゾン処理触媒およびオゾンガス導入口を備え、前記タンクケースの下部にドレンコックを備え、前記タンクケース内部に水を入れたオゾン水タンクを備え、前記オゾンガス導入口よりオゾンガスを導入して水に溶解させ、生成したオゾン水を前記ドレンコックを開放することによってタンク内のオゾン水を外部に流出させるバッチ式オゾン水生成装置において、前記タンクケースの内部に第一水溜部を備え、前記タンクケースの下部に第二水溜部を備え、前記第一水溜部の上部はふたおよびパッキンによって完全に密閉され、前記第一水溜部内部の水と前記タンクケース内部とは前記第二水溜部内部の水を介して連続していることを特徴とするバッチ式オゾン水生成装置。
【請求項２】
前記タンクケースの下部と前記ドレンコックとの間に第三水溜部を備えたことを特徴とする請求項１記載のバッチ式オゾン水生成装置。
【発明の詳細な説明】
【０００１】
【発明の属する技術分野】
本発明は、オゾン水をタンクに貯蔵し、バッチ式でオゾン水を生成する、オゾン水生成装置に関するものである。
【０００２】
【従来の技術】
オゾンは、強力な酸化力を持ち、また、空気中あるいは水中において、余剰のオゾンは、酸素や水に自然分解して、長く残留しないことから、殺菌、消毒、漂白、浄化等、いろいろな分野において、有効に利用されている。
【０００３】
しかし、一方で、高濃度のオゾンを直接吸引摂取することによって、人体へ有害な影響を与える可能性があり、一般に、１〜２ｐｐｍで疲労感、呼吸機能の変化、１０ｐｐｍでは呼吸困難や肺水腫が生じ、それ以上で生命の危険になってくるといわれている。
【０００４】
また、オゾンガスを水に溶解させることによって、オゾン水を得ることができ、高濃度のオゾンを含有するオゾン水は、殺菌、消毒、漂白等にすぐれた効果があることが知られている。
【０００５】
このオゾン水をタンク等に一時的に貯蔵し、必要時に適時取り出して使用する場合には、溶解しきれなかった余剰のオゾンガスや気化したオゾンガスがタンク内の空隙に残留してしまう。
【０００６】
この残留オゾンガスの濃度は、オゾンが、水に溶解することによって、発生したばかりの濃度からは、かなり薄くはなっているが、直接、人間が吸引しても無害な濃度まで薄くなっていない。
【０００７】
そこで、残留オゾンガスを気中に排出する際には、オゾン処理触媒によってオゾンを分解し、酸素にした状態で、気中に放出している。
【０００８】
【発明が解決しようとする課題】
しかし、タンクから余剰のオゾン水を排出する際に、水とともにタンク内に一部残留しているオゾンガスがドレンコックから無処理で排出されることがある。また、オゾン水を生成するため水を供給する際に、タンク上部のふたを開放した時、残留オゾンガスが外部に排出され、人間に害を与える可能性があるという問題があった。
【０００９】
【課題を解決するための手段】
本発明は、タンクケースにオゾン処理触媒およびオゾンガス導入口を備え、前記タンクケースの下部にドレンコックを備え、前記タンクケース内部に水を入れたオゾン水タンクを備え、前記オゾンガス導入口よりオゾンガスを導入して水に溶解させ、生成したオゾン水を前記ドレンコックを開放することによってタンク内のオゾン水を外部に流出させるバッチ式オゾン水生成装置において、前記タンクケースの内部に第一水溜部を備え、前記タンクケースの下部に第二水溜部を備え、前記第一水溜部の上部はふたおよびパッキンによって完全に密閉され、前記第一水溜部内部の水と前記タンクケース内部とは前記第二水溜部内部の水を介して連続していることにより、オゾン水を排出するためにドレンコックを開いた時やオゾン水タンクに水を供給する時に、タンク内の残留オゾンガスが大気中に放出されることを抑制するものである。
【００１０】
また本発明は、水溜部を使用することにより、水の供給口と上部に滞留しているオゾンガスの連通を遮断して、オゾンガスが外部に排出されることを抑制するものである。
【００１１】
さらに本発明は、水溜部を複数備えるものである。
【００１２】
【発明の実施の形態】
発明の実施の形態を実施例に基づき図面を参照して詳細に説明する。
【００１３】
図１は、本発明になるオゾン水生成装置のオゾン水タンクの断面構造を示す図である。図１において、１はタンクケース、２はふた、３はパッキン、４はオゾン処理触媒、５はオゾンガス導入口、６はドレンコック、７は第一水溜部、８は第二水溜部、９は第三水溜部である。
【００１４】
本発明になるオゾン水生成装置のオゾン水タンクにおいては、約６００ＣＣの円筒形のタンクケース１の上部をふた２およびパッキン３によって密閉封口している。タンクケース１の側面にオゾン処理触媒４およびオゾンガス導入口５をもつ。タンクケース１の側面下部には生成されたオゾン水を排出するためのドレンコック６をもつ。また、タンクケース内部に第一水溜部７、第二水溜部８、第三水溜部９を設けてある。
【００１５】
タンク内が空の状態で、ふた２およびパッキン３を取り外し、タンク内に水５００ＣＣを供給する。この時、水は第一水溜部７を通ってタンク内に流入する。その後、オゾンガス導入口５よりオゾンガスを導入し水に溶解させる。水に溶解しきらなかったオゾンガスは、タンク上部側面のオゾン処理触媒４を通って酸素に還元され、大気中に排気される。
【００１６】
オゾン水生成完了後、タンク側面下部のドレンコック６を開放することによってタンク内のオゾン水は外部に流出される。この時、第三水溜部９の部分には水が存在しているため、タンク内部に残留オゾンガスがあったとしても、外部への排出は抑制される。
【００１７】
第一水溜部７は、上部がふた２およびパッキン３によって完全に密閉されている。また、第一水溜部７の内径をある程度細くすることによって、水の表面張力により第一水溜部７の部分の水は溜まったままの状態となる。タンク上部のふた２およびパッキン３を取り外した場合、この第一水溜部７に溜まっていた水は第二水溜部８の方に落ち溜まる。第二水溜部８の部分に水が溜まっているため、タンク上部が開放されても、タンク内の残留オゾンガスの外部への排出は抑制される。
【００１８】
つぎに、従来のオゾン水タンクの構造を説明する。図２は、従来のオゾン水タンクの断面構造を示した図である。図２における記号１〜６は、図１と同じものを示している。
【００１９】
図２に示した従来のオゾン水タンクを使用した場合、オゾン水生成後、ドレンコック６を開いてタンクからオゾン水を取り出した後、残留オゾンガスがドレンコック６を通じて排出した。さらに、タンク上部のふた２を開放したところ、タンク内部の高濃度の残留オゾンガスが大気中に排出した。
【００２０】
【発明の効果】
本発明になるバッチ式オゾン水生成装置においては、タンクケースの内部に第一水溜部を備え、タンクケースの下部に第二水溜部を備えることにより、また、タンクケースの下部とドレンコックとの間に第三水溜部を備えることにより、ドレンコックおよびタンク上部からの残留オゾンガスの排出が抑制され、より安全性の高いバッチ式オゾン水発生装置が得られる。
【図面の簡単な説明】
【図１】本発明になるオゾン水タンクの断面構造を示す図。
【図２】従来のオゾン水タンクの断面構造を示す図。
【符号の説明】
１  タンクケース
２  ふた
３  パッキン
４  オゾン処理触媒
５  オゾンガス導入口
６  ドレンコック
７  第一水溜部
８  第二水溜部
９  第三水溜部
【図１】
0004224743.tif 000002
【図２】
0004224743.tif 000003